(57)【要約】【課題】外部機器から容易かつ速やかに遠隔制御が可能な撮像装置と、撮像装置を遠隔制御する外部機器を有する通信システムを提供すること。【解決手段】撮像装置と、電子機器とを有する通信システムである。電子機器は、遠隔操作指示に対応する操作が行われたと判定されると、撮像装置の動作状態にかかわらず、撮像装置に遠隔操作指示を送信する。撮像装置は、電子機器から受信した遠隔操作指示に対して、動作状態に応じて異なる処理を実行する。また、撮像装置は、遠隔操作指示に応答して、動作状態に関する情報を電子機器に送信する。電子機器は、受信した、撮像装置の動作状態に関する情報に応じた処理を実行する。【選択図】図３
2018037808.tif 000002
【特許請求の範囲】
【請求項１】
撮像装置と、電子機器とを有する通信システムであって、
前記撮像装置は、
第１の通信手段と、
前記第１の通信手段を通じて接続された電子機器から受信した第１の遠隔操作指示に対して、動作状態に応じて異なる処理を実行する第１の制御手段と、
前記第１の遠隔操作指示に応答して、前記動作状態に関する情報を前記第１の通信手段を通じて前記電子機器に送信する第１の送信手段と、
を有し、
前記電子機器は、
第２の通信手段と、
遠隔操作画面に対し、前記第１の遠隔操作指示に対応する操作が行われたと判定されると、前記第２の通信手段を通じて接続された前記撮像装置の動作状態にかかわらず、前記第２の通信手段を通じて前記撮像装置に前記第１の遠隔操作指示を送信する第２の送信手段と、
前記第１の遠隔操作指示に応答して前記撮像装置から送信された、前記撮像装置の動作状態に関する情報を前記第２の通信手段を通じて受信する受信手段と、
前記動作状態に関する情報に応じた処理を実行する第２の制御手段と、
を有することを特徴とする通信システム。
【請求項２】
前記第１の遠隔操作指示が、撮影開始要求であることを特徴とする請求項１に記載の通信システム。
【請求項３】
前記撮像装置は、前記動作状態がバルブ撮影モードの場合、
前記第１の遠隔操作指示を受信するとバルブ撮影を開始し、
再度、前記第１の遠隔操作指示を受信すると、前記バルブ撮影を終了する、
ことを特徴とする請求項１または請求項２に記載の通信システム。
【請求項４】
前記第１の送信手段は、前記動作状態に関する情報として、バルブ撮影中を示す情報を送信することを特徴とする請求項３に記載の通信システム。
【請求項５】
前記第２の制御手段は、前記動作状態に関する情報を受信すると、前記遠隔操作画面に、バルブ撮影中であることを示す表示と、次の前記第１の遠隔操作指示によってバルブ撮影が終了することを示す表示とを行うことを特徴とする請求項３または請求項４に記載の通信システム。
【請求項６】
前記撮像装置は、前記動作状態がタイマー撮影モードの場合、
前記第１の遠隔操作指示を受信すると計時処理を開始し、
前記計時処理が終了すると撮影を開始する、
ことを特徴とする請求項１から請求項５の何れか１項に記載の通信システム。
【請求項７】
前記第１の送信手段は、前記動作状態に関する情報として、計時処理中を示す情報を送信することを特徴とする請求項６に記載の通信システム。
【請求項８】
前記第２の制御手段は、前記動作状態に関する情報を受信すると、前記遠隔操作画面に、タイマー撮影中であることを示す表示と、前記第１の遠隔操作指示に対応する操作が不能であることを示す表示とを行うことを特徴とする請求項６または請求項７に記載の通信システム。
【請求項９】
前記撮像装置は、前記動作状態がバルブ撮影モードおよびタイマー撮影モード以外の撮影モードの場合、
前記第１の遠隔操作指示を受信すると撮影を開始する、
ことを特徴とする請求項１から請求項８の何れか１項に記載の通信システム。
【請求項１０】
前記第１の送信手段は、前記動作状態に関する情報として、撮影中を示す情報を送信することを特徴とする請求項９に記載の通信システム。
【請求項１１】
前記第２の制御手段は、前記動作状態に関する情報を受信すると、前記遠隔操作画面に、撮影中であることを示す表示と、前記第１の遠隔操作指示に対応する操作が不能であることを示す表示とを行うことを特徴とする請求項９または請求項１０に記載の通信システム。
【請求項１２】
通信手段と、
前記通信手段を通じて接続された外部機器から受信した遠隔操作指示に対して、動作状態に応じて異なる処理を実行する制御手段と、
前記遠隔操作指示に応答して、前記動作状態に関する情報を前記通信手段を通じて前記外部機器に送信する送信手段と、
を有することを特徴とする撮像装置。
【請求項１３】
通信手段と、
遠隔操作画面に対し、遠隔操作指示に対応する操作が行われたと判定されると、前記通信手段を通じて接続された撮像装置の動作状態にかかわらず、前記通信手段を通じて前記撮像装置に遠隔操作指示を送信する送信手段と、
前記遠隔操作指示に応答して前記撮像装置から送信された、前記撮像装置の動作状態に関する情報を前記通信手段を通じて受信する受信手段と、
前記動作状態に関する情報に応じた処理を実行する制御手段と、
を有することを特徴とする電子機器。
【請求項１４】
受信手段が、接続された外部機器から遠隔操作指示を受信する受信工程と、
制御手段が、前記遠隔操作指示に対して、動作状態に応じて異なる処理を実行する実行工程と、
送信手段が、前記遠隔操作指示に応答して、前記動作状態に関する情報を前記外部機器に送信する送信工程と、
を有することを特徴とする撮像装置の制御方法。
【請求項１５】
判定手段が、遠隔操作画面に対し、遠隔操作指示に対応する操作が行われたか否かを判定する判定工程と、
前記操作が行われたと判定されると、接続された撮像装置の動作状態にかかわらず、送信手段が前記撮像装置に遠隔操作指示を送信する送信工程と、
受信手段が、前記遠隔操作指示に応答して前記撮像装置から送信された、前記撮像装置の動作状態に関する情報を受信する受信工程と、
制御手段が、前記動作状態に関する情報に応じた処理を実行する実行工程と、
を有することを特徴とする電子機器の制御方法。
【請求項１６】
撮像装置が有するコンピュータを、請求項１から請求項１１のいずれか１項に記載の通信システムが有する撮像装置の前記第１の送信手段および前記第１の制御手段として機能させるためのプログラム。
【請求項１７】
電子機器が有するコンピュータを、請求項１から請求項１１のいずれか１項に記載の通信システムが有する電子機器の前記第２の送信手段、前記受信手段、および前記第２の制御手段として機能させるためのプログラム。
【発明の詳細な説明】
【技術分野】
【０００１】
本発明は、撮像装置、電子機器およびその制御方法、通信システムに関する。
【背景技術】
【０００２】
無線接続されたコンピュータやスマートフォンから遠隔制御が可能なデジタルカメラが知られている（特許文献１）。特許文献１では、デジタルカメラが、受け付け可能なコマンド（オペレーション）群をデバイス情報に含めて外部機器に送信すること、オペレーション群を外部機器の種類に応じて異ならせることが記載されている。
【先行技術文献】
【特許文献】
【０００３】
【特許文献１】特開２０１５−１０４０１５号公報
【発明の概要】
【発明が解決しようとする課題】
【０００４】
しかしながら、特許文献１では、スマートフォンなどの外部機器は、遠隔制御コマンドをデジタルカメラに送信する前に、デジタルカメラにデバイス情報の要求をし、デバイス情報を受信ならびに解析し、送信可能なコマンドを確認しなければならない。そのため、実際に遠隔制御を開始できるまでに時間を要する。また、デジタルカメラの機種によって接続手順が異なったり、仕様が変更されたりすると、外部機器でも対応のためにソフトウェアを更新したりする必要があり、煩雑である。
【０００５】
このような観点から、本発明は、外部機器から容易かつ速やかに遠隔制御が可能な撮像装置、撮像装置を遠隔制御する外部機器、およびそれらを有する通信システムの提供を目的とする。
【課題を解決するための手段】
【０００６】
上述の目的は、撮像装置と、電子機器とを有する通信システムであって、撮像装置は、第１の通信手段と、第１の通信手段を通じて接続された電子機器から受信した第１の遠隔操作指示に対して、動作状態に応じて異なる処理を実行する第１の制御手段と、第１の遠隔操作指示に応答して、動作状態に関する情報を第１の通信手段を通じて電子機器に送信する第１の送信手段と、を有し、電子機器は、第２の通信手段と、遠隔操作画面に対し、第１の遠隔操作指示に対応する操作が行われたと判定されると、第２の通信手段を通じて接続された撮像装置の動作状態にかかわらず、第２の通信手段を通じて撮像装置に第１の遠隔操作指示を送信する第２の送信手段と、第１の遠隔操作指示に応答して撮像装置から送信された、撮像装置の動作状態に関する情報を第２の通信手段を通じて受信する受信手段と、動作状態に関する情報に応じた処理を実行する第２の制御手段と、を有することを特徴とする通信システムによって達成される。
【発明の効果】
【０００７】
本発明によれば、外部機器から容易かつ速やかに遠隔制御が可能な撮像装置、撮像装置を遠隔制御する外部機器、およびそれらを有する通信システムを提供することができる。
【図面の簡単な説明】
【０００８】
【図１】本発明の実施形態に係る通信システムの模式図および、デジタルカメラの機能構成構成例を示すブロック図
【図２】実施形態に係るスマートフォンの機能構成例を示すブロック図
【図３】実施形態におけるデジタルカメラとスマートフォンとの相互動作に関するシーケンス図
【図４】実施形態におけるデジタルカメラとスマートフォンとの相互動作に関するシーケンス図
【図５】実施形態におけるデジタルカメラとスマートフォンの動作に関するフローチャート
【図６】実施形態におけるスマートフォンの画面表示例を示す図
【発明を実施するための形態】
【０００９】
以下、本発明の例示的な実施形態について添付図面に基づいて詳細に説明する。なお、以下の実施形態においては、本発明に係る撮像装置の一例としてのデジタルカメラと、デジタルカメラを遠隔操作可能な電子機器の一例としてのスマートフォンとを用いた構成の通信システムに関して説明する。なお、電子機器はスマートフォンに限らず、デジタルカメラと通信可能な任意の電子機器であってよい。このような電子機器にはデジタルカメラやスマートフォンをはじめ、パーソナルコンピュータ、タブレットコンピュータ、メディアプレーヤ、ＰＤＡ、ゲーム機、スマートウォッチ、プリンタ、リモートコントローラなどが含まれるが、これらに限定されない。
【００１０】
図１は、本発明の実施形態に係る通信システムの構成を模式的に示した図である。通信システムはデジタルカメラ１と、スマートフォン２とを有する。デジタルカメラ１とスマートフォン２は、２種類の無線接続３および４によって通信可能である。ここで、無線接続３および４は互いに異なる規格に準拠しており、例えば無線接続４は無線接続３よりも低消費電力で通信可能な規格に準拠している。ここでは、無線接続３はＩＥＥＥ８０２．１１系列のいわゆる無線ＬＡＮ規格に準拠し、無線接続４はＢｌｕｅｔｏｏｔｈ（登録商標） Ｌｏｗ Ｅｎｅｒｇｙに準拠しているものとする。
【００１１】
＜デジタルカメラの構成＞
図１（ｂ）は、デジタルカメラ１の機能構成例を示すブロック図である。
制御部１０１は例えば１つ以上のプログラマブルプロセッサ（以下、便宜上ＭＰＵと呼ぶ）を有する。制御部１０１は、不揮発性メモリ１０３に記憶されたプログラムをＭＰＵで実行し、各部を制御することにより、外部機器との通信を始めとしたデジタルカメラ１の各種機能を実現する。なお、デジタルカメラ１の制御は制御部１０１が集中的に行う必要は無く、他の機能ブロックが有するプロセッサと協働して分散的に制御を実行してもよい。
【００１２】
撮像部１０２は、例えば、ズームレンズ、フォーカスレンズ、絞りを有するレンズユニット、レンズユニットの動作を制御するコントローラ（例えばＭＰＵ）、撮像素子などを有する。撮像素子は、レンズユニットが形成する光学像を電気信号（画素信号）群に変換する光電変換デバイスであり、一般にはＣＭＯＳ(Complementary Metal Oxide Semiconductor)もしくはＣＣＤ(Charge Coupled Device)イメージセンサである。撮像部１０２はまた、Ａ／Ｄ変換やノイズ低減処理などを実行するための信号処理回路を有し、デジタル形式の画素信号群（画像データ）を出力する。画像データは一般的なデジタルカメラと同様に処理され、例えばメモリカードである記録媒体１１０に画像データファイルの形式で記録されたり、表示部１０６に表示されたり、外部機器に出力されたりする。
【００１３】
不揮発性メモリ１０３は例えば電気的に消去・記録可能であり、制御部１０１で実行するプログラム、ＧＵＩデータ、各種の設定値、外部機器の登録情報（識別情報および通信用の暗号鍵など）などを格納する。
【００１４】
作業用メモリ１０４は、撮像部１０２で撮像された画像データを一時的に保持するバッファメモリや、表示部１０６の表示用メモリ(VRAM)、制御部１０１がプログラムを実行する際の作業領域などに用いられる。
【００１５】
操作部１０５は、デジタルカメラ１に対してユーザが指示を入力するための入力デバイス群である。操作部１０５には例えば、デジタルカメラ１の電源ＯＮ／ＯＦＦを指示するための電源ボタン、撮影準備開始および撮影開始を指示するためのレリーズスイッチ、画像データの再生（表示）を指示するための再生ボタンを含む。無線ＬＡＮ部１１１を介した外部機器との通信を開始するための接続ボタンを含んでもよい。
【００１６】
なお、レリーズスイッチは、半押し状態でＯＮするＳＷ１と、全押し状態でＯＮするＳＷ２との２つのスイッチを有する。ＳＷ１のＯＮは撮影準備開始指示、ＳＷ２のＯＮは撮影開始指示である。撮影準備開始指示が検出されると、制御部１０１はＡＦ（オートフォーカス）処理、ＡＥ（自動露出）処理、ＡＷＢ（オートホワイトバランス）処理、ＥＦ（フラッシュプリ発光）処理等の撮影準備を開始させる。また、撮影開始指示が検出されると制御部１０１は撮影準備で実施された処理結果を用いて記録用の撮影処理を開始させる。
【００１７】
表示部１０６は、ライブビュー画像や記録済み画像の表示や、対話的な操作のための画面の表示などを行う。なお、表示部１０６はデジタルカメラ１の外部表示装置であってもよい。表示部１０６がタッチディスプレイの場合、表示部１０６が備えるタッチパネルは操作部１０５に含まれる。
【００１８】
記録媒体１１０は例えば半導体メモリであり、デジタルカメラ１から取り外し可能であってもなくてもよい。記録媒体１１０には、撮像部１０２から出力された画像データに基づく画像ファイルが記録される。
【００１９】
無線ＬＡＮ部１１１（第１の無線通信手段）は、デジタルカメラ１と外部装置との通信インターフェースであり、例えばアンテナ、変復調回路、通信コントローラを有する。デジタルカメラ１は、例えば、撮像部１０２で得られた画像データや、記録媒体１１０に記録された画像データを、無線ＬＡＮ部１１１を介して外部装置に送信することができる。なお、無線ＬＡＮ部１１１は外部装置とＩＥＥＥ８０２．１１ｘの規格に従った、いわゆる無線ＬＡＮインターフェースであるものとする。無線ＬＡＮ部１１１による外部機器との通信は、制御部１０１の制御に従って実行される。
【００２０】
デジタルカメラ１は、インフラストラクチャモードにおけるスレーブ装置として動作可能であり、周辺のアクセスポイント（ＡＰ）に接続することで、そのＡＰが形成するネットワークに参加することができる。また、デジタルカメラ１は、機能が限定された簡易的なＡＰ（簡易ＡＰ）としても動作可能であり、デジタルカメラ１の周辺の装置は、デジタルカメラ１をＡＰと認識し、デジタルカメラ１が形成しているネットワークに参加できる。なお、簡易ＡＰは、スレーブ装置から受信したデータをインターネットプロバイダなどに転送するゲートウェイ機能を有さない。従って、簡易ＡＰとして動作するデジタルカメラ１は、自身が形成したネットワークに参加している他の装置から受信したデータを、他のネットワークに転送することはできない。デジタルカメラ１をスレーブ装置および簡易ＡＰとして動作させるためのプログラムは不揮発性メモリ１０３に保持されている。ＡＰは、データ中継装置の一例である。
【００２１】
Ｂｌｕｅｔｏｏｔｈ部１１２（第２の無線通信手段）は、デジタルカメラ１と外部装置との通信インターフェースであり、例えばアンテナ、変復調回路、通信コントローラを有する。Ｂｌｕｅｔｏｏｔｈ部１１２は、無線ＬＡＮ部１１１よりも消費電力が小さく、通信範囲が短く、かつ通信速度が遅い無線通信を外部機器と行う。例えばＢｌｕｅｔｏｏｔｈ部１１２は、Ｂｌｕｅｔｏｏｔｈバージョン４．０以降のＬｏｗ  Ｅｎｅｒｇｙ（ＢＬＥ）規格に準拠した通信を行うものとする。Ｂｌｕｅｔｏｏｔｈ部１１２による外部機器との通信は、制御部１０１の制御に従って実行される。なお、無線ＬＡＮ部１１１およびＢｌｕｅｔｏｏｔｈ部１１２は他の無線通信規格に準拠した通信を行う構成であってもよい。
【００２２】
＜スマートフォンの構成＞
図２は、デジタルカメラ１と無線通信する電子機器の一例としてのスマートフォン２に関する図である。
制御部２０１は例えば１つ以上のプログラマブルプロセッサ（以下、便宜上ＭＰＵと呼ぶ）を有する。制御部２０１は、不揮発性メモリ２０３に記憶されたプログラムをＭＰＵで実行し、各部を制御することにより、外部機器との通信を始めとしたスマートフォン２の各種機能を実現する。なお、スマートフォン２の制御は制御部２０１が集中的に行う必要は無く、他の機能ブロックが有するプロセッサと協働して分散的に制御を実行してもよい。
【００２３】
撮像部２０２は、例えば、フォーカスレンズおよび絞りを有するレンズユニット、レンズユニットの動作を制御するコントローラ（例えばＭＰＵ）、撮像素子などを有する。撮像部２０２はまた、Ａ／Ｄ変換やノイズ低減処理などを実行するための信号処理回路を有し、デジタル形式の画素信号群（画像データ）を出力する。画像データは制御部２０１によって一般的なデジタルカメラと同様に処理され、例えばメモリカードである記録媒体２１０に画像データファイルの形式で記録されたり、表示部１０６に表示されたり、外部機器に出力されたりする。
【００２４】
不揮発性メモリ２０３は、制御部２０１で実行するプログラム（ＯＳ（オペレーティングシステム）や、ＯＳ上で稼働するアプリケーションプログラム（以下、アプリケーション）など）を格納する。不揮発性メモリ２０３はまた、ＧＵＩデータ、各種の設定値、通信相手として登録済みの外部機器に関する情報（識別情報および通信用の暗号鍵など）なども格納する。本実施形態において、スマートフォン２とデジタルカメラ１との通信は、デジタルカメラ１を遠隔操作するアプリケーション（カメラ制御アプリケーション）を通じて実現される。なお、カメラ制御アプリケーションはＯＳの機能を利用するためのプログラムを有しているものとする。なお、ＯＳが本実施形態に関する処理を実現するためのプログラムを有していてもよい。
【００２５】
作業用メモリ２０４は、表示部２０６の表示用メモリ(VRAM)、制御部２０１がＯＳやアプリケーションを実行する際の作業領域などに用いられる。
【００２６】
操作部２０５は、スマートフォン２に対してユーザが指示を入力するための入力デバイス群である。操作部２０５は例えば、スマートフォン２の電源オン／オフを指示するための電源ボタンや表示部２０６が備えるタッチパネルなどを含む。この他、音量調整ボタンやシャッターボタンなどが含まれてもよい。なお、操作部２０５には例えば虹彩センサや指紋センサなど、認証用の入力デバイスが含まれてもよい。
【００２７】
表示部２０６はタッチディスプレイであり、ＯＳが提供するＧＵＩ画面や、各種のアプリケーションが提供する各種の情報を表示する。
【００２８】
記録媒体２１０は例えば半導体メモリであり、スマートフォン２から取り外し可能であってもなくてもよい。記録媒体２１０には、アプリケーションが用いるデータや、撮像部２０２で撮影した静止画および動画データ、外部機器から受信したデータなどを記録することができる。
【００２９】
無線ＬＡＮ部２１１は、外部装置との通信インターフェースであり、例えばアンテナ、変復調回路、通信コントローラを有する。制御部２０１は、無線ＬＡＮ部２１１を制御することで外部装置との無線通信を実現する。なお、本実施形態におけるスマートフォン２は、少なくともインフラストラクチャモードにおけるスレーブ装置として動作可能であり、周辺のＡＰが形成するネットワークに参加できる。
【００３０】
Ｂｌｕｅｔｏｏｔｈ部２１５は、スマートフォン２と外部装置との通信インターフェースであり、例えばアンテナ、変復調回路、通信コントローラを有する。Ｂｌｕｅｔｏｏｔｈ部２１５は、無線ＬＡＮ部２１１よりも消費電力が小さく、通信範囲が短く、かつ通信速度が遅い無線通信を外部機器と行う。例えばＢｌｕｅｔｏｏｔｈ部２１５は、デジタルカメラ１のＢｌｕｅｔｏｏｔｈ部１１２と同様、ＢＬＥ規格に準拠した通信を行うものとする。制御部２０１は、Ｂｌｕｅｔｏｏｔｈ部２１５を制御することで外部装置との無線通信を実現する。なお、無線ＬＡＮ部２１１およびＢｌｕｅｔｏｏｔｈ部２１５は他の無線通信規格に準拠した通信を行う構成であってもよい。
【００３１】
公衆網接続部２１２は、３Ｇの規格に準拠して公衆無線通信網との接続を行う通信インタフェースである。なお、３Ｇに限らず、ＬＴＥ、ＷｉＭＡＸ、ＡＤＳＬ、ＦＴＴＨ、いわゆる４Ｇといった他の通信規格に準拠するものであってもよい。スマートフォン２は、公衆網接続部２１２を介して公衆網上の機器との通話機能を提供する。通話中、制御部２０１はマイク２１３から入力された音声を公衆網接続部２１２に出力し、公衆網接続部２１２から受信した音声信号をスピーカ２１４から出力する。なお、無線ＬＡＮ部２１１と公衆網接続部２１２は一つのアンテナを共用してもよい。
【００３２】
＜動作概略＞
本実施形態の通信システムにおける、デジタルカメラ１およびスマートフォン２の動作に関して説明する。なお、本実施形態では、スマートフォン２がデジタルカメラ１をＢｌｕｅｔｏｏｔｈ通信を介して遠隔制御するものとする。従って、スマートフォン２がＢＬＥにおけるセントラル、デジタルカメラ１がＢＬＥにおけるペリフェラルとして機能することを前提とする。また、デジタルカメラ１およびスマートフォン２は、互いに相手機器をＢｌｕｅｔｏｏｔｈ通信を行う機器として登録済み（ペアリング済み）であるものとする。
【００３３】
図３および図４は、Ｂｌｕｅｔｏｏｔｈ部１１２，２１５間の通信を用いた、デジタルカメラ１とスマートフォン２の相互動作に関するシーケンス図である。なお、以下の説明において、デジタルカメラ１の動作は制御部１０１（第１の制御手段）が不揮発性メモリ１０３に記憶されたプログラムを実行してＢｌｕｅｔｏｏｔｈ部１１２（第１の通信手段）ほかの構成要素を制御することにより実現される。同様に、スマートフォン２の動作は制御部２０１（第２の制御手段）が不揮発性メモリ２０３に記憶されたカメラ制御アプリケーションやＯＳを実行してＢｌｕｅｔｏｏｔｈ部２１５（第２の通信手段）ほかの構成要素を制御することにより実現される。
【００３４】
Ｔ４０１では、Ｂｌｕｅｔｏｏｔｈ部１１２，２１５間の接続を確立する手順を制御部１０１，２０１が実行する。具体的には、デジタルカメラ１からアドバタイズ信号をブロードキャストし、スマートフォン２は受信したアドバタイズ信号を受信して接続要求信号をデジタルカメラ１に送信することにより、Ｂｌｕｅｔｏｏｔｈ接続を確立する。
【００３５】
Ｔ４０２で、スマートフォン２はＢｌｕｅｔｏｏｔｈリモコン機能を有効にする。Ｂｌｕｅｔｏｏｔｈリモコン機能は、Ｂｌｕeｔｏｏｔｈ通信によってスマートフォン２からデジタルカメラ１を遠隔操作する機能である。たとえばレリーズボタンや撮影設定用のボタンなど、操作部１０５に含まれるボタンを遠隔操作することできる。なお、Ｂｌｕｅｔｏｏｔｈリモコン機能はカメラ制御アプリケーションによって提供される。カメラ制御アプリケーションは、デジタルカメラ１とＢｌｕｅｔｏｏｔｈ接続が確立すると制御部２０１が自動的に起動させてもよいし、表示部２０６に表示された特定のアイコンのユーザ操作を検知することによって制御部２０１が起動させてもよい。制御部２０１（カメラ制御アプリケーション）は、表示部２０６に操作可能なボタンのＧＵＩパーツを含んだリモコン画面（遠隔操作画面）を表示する。
【００３６】
Ｔ４０３でユーザがリモコン画面に含まれる、レリーズボタンに対応するＧＵＩパーツを押下（タップ）すると、制御部２０１がこれを検知する。第１の送信手段としての制御部２０１はＴ４０４で、デジタルカメラ１へ撮影開始要求信号を送信する。この際、制御部２０１は撮像装置の動作状態を取得したり、意識したりすることはない。なお、撮影要開始求信号は、デジタルカメラ１における操作部１０５に含まれるレリーズスイッチの押下要求信号（ＲＥＬ  ＯＮ）を含んでいる。
【００３７】
デジタルカメラ１の制御部１０１はスマートフォン２からＢｌｕｅｔｏｏｔｈ通信を介して、撮影開始要求信号を受信する。そして、制御部１０１は、デジタルカメラの撮影モード（動作状態）によって異なる処理を実行する。ここでは、デジタルカメラ１が有する動作状態の例として、バルブ撮影モード（図３（ａ））、タイマー撮影モード（図３（ｂ））、バルブ撮影モードおよびタイマー撮影モード以外の撮影モード（図４）について、デジタルカメラ１の動作を説明する。また、スマートフォン２の制御部２０１（受信手段）は、撮影開始要求信号に応答してデジタルカメラ１から送信される、動作状態に関する情報を受信する。そして、動作状態に関する情報に応じて、異なる処理を実行する。以下、デジタルカメラ１の動作状態ごとに、デジタルカメラ１およびスマートフォン２の動作に関して説明する。
【００３８】
まず、デジタルカメラ１がバルブ撮影モードである場合について、引き続き図３（ａ）用いて説明する。
デジタルカメラ１は撮影開始要求信号を受信すると、Ｔ４０５でバルブ撮影を開始する。被写体距離、撮影感度や絞りなど、シャッタースピード以外の撮影条件に関しては、撮影開始要求信号の受信前に設定されていた値を用いることができる。
【００３９】
Ｔ４０６でデジタルカメラ１は、バルブ撮影を開始したことを示す撮影開始通知信号（ＢＵＬＢ  ＯＮ）を、スマートフォン２へＢｌｕｅｔｏｏｔｈ通信を通じて送信する。
この通知信号を受信したスマートフォン２は、Ｔ４０７で、表示部２０６のリモコン画面にＢＵＬＢ撮影中を示すメッセージや画像などを表示する。あるいは、ユーザがタップしているＧＵＩパーツの表示形態（色や形など）を変更するなどして、ユーザに撮影開始を知らせるようにしてもよい。
【００４０】
ユーザがリモコン画面中のレリーズボタンのタップ（押下）を終了したことをＴ４０８で検知すると、Ｔ４０９でスマートフォン２は、デジタルカメラ１へＢｌｕｅｔｏｏｔｈ通信を通じて撮影停止要求信号（ＲＥＬ  ＯＦＦ）を送信する。なお、Ｔ４０８は必ずしもＴ４０７の後でなくてもよく、撮影開始通知信号の受信前であってよい。撮影開始通知信号の受信前にユーザがリモコン画面中のレリーズボタンのタップ（押下）を終了したことを検知した場合、スマートフォン２は撮影開始通知信号（ＢＵＬＢ  ＯＮ）を受信すると直ちに撮影停止要求信号（ＲＥＬ  ＯＦＦ）を送信する。なお、撮影停止要求信号（ＲＥＬ  ＯＦＦ）は撮影を連続して行わないこと、あるいはレリーズボタンの押下が解除されたことを示し、直ちに撮影動作を停止することを要求する信号ではない。
【００４１】
ユーザがリモコン画面中のレリーズボタンを再度タップ（押下）したことをＴ４１０で検知すると、Ｔ４１１でスマートフォン２はデジタルカメラ１へＢｌｕｅｔｏｏｔｈ通信を通じて撮影開始要求信号（ＲＥＬ  ＯＮ）を送信する。なお、この撮影開始要求信号（ＲＥＬ  ＯＮ）は、バルブ撮影モードのデジタルカメラ１では撮影停止要求信号と同様に解釈されるため、便器上、図３（ａ）では撮影停止要求信号と記載しているが、Ｔ４０４で送信する信号と同一である。
【００４２】
デジタルカメラ１はバルブ撮影中にスマートフォン２からＢｌｕｅｔｏｏｔｈ通信を通じて撮影開始要求信号（ＲＥＬ  ＯＮ）を受信すると、Ｔ４１２でバルブ撮影を停止する。
Ｔ４１３でデジタルカメラ１は、撮影を停止したことを示す撮影停止通知信号（ＲＥＬ  ＯＦＦ）を、Ｂｌｕｅｔｏｏｔｈ通信を通じてスマートフォン２へ送信する。
【００４３】
撮影停止通知信号（ＲＥＬ  ＯＦＦ）を受信したスマートフォン２は、Ｔ４１４で表示部２０６のリモコン画面にＢＵＬＢ撮影終了を示すメッセージや画像などを表示する。あるいは、リモコン画面の表示を初期状態に戻すなどして、ユーザに撮影終了を知らせるようにしてもよい。
【００４４】
次に、デジタルカメラ１がタイマー撮影モードである場合について、図３（ｂ）を用いて説明する。なお、Ｔ４０１〜Ｔ４０４までの説明は省略する。
デジタルカメラ１はＢｌｕｅｔｏｏｔｈ通信を通じてスマートフォン２から撮影開始要求信号を受信すると、Ｔ４１５でカウントダウン（計時処理）を開始する。なお、カウントダウンの時間は予め不揮発メモリに記録された候補値からユーザが操作部１０５を通じて選択した値に基づくものであってよい。
【００４５】
そしてＴ４１６でデジタルカメラ１は、カウントダウンを開始したことを示すカウントダウン開始通知信号（ＣＯＵＮＴＤＯＷＮ）を、Ｂｌｕｅｔｏｏｔｈ通信を通じてスマートフォン２に送信する。
スマートフォン２は、カウントダウン開始通知信号（ＣＯＵＮＴＤＯＷＮ）を受信すると、Ｔ４１７で、表示部２０６に表示中のリモコン画面に、タイマー撮影中（計時処理中）であることを示すメッセージや画像などを表示する。なお、カウントダウン開始通知信号にカウントダウン時間が含まれている場合など、スマートフォン２がカウントダウン時間を知ることができる場合、リモコン画面にカウントダウン表示（カウント値が徐々に減少する表示）を含めるようにしてもよい。
【００４６】
カウントダウン時間が経過すると、Ｔ４１８でデジタルカメラ１は撮影動作を開始する。撮影感度、絞り、シャッタースピード、被写体距離などの撮影条件に関しては、カウントダウン時間経過時に設定されていた値を用いることができる。
Ｔ４１９でデジタルカメラ１は、撮影を開始したことを示す撮影開始通知信号（ＲＥＬ  ＯＮ）をスマートフォン２へＢｌｕｅｔｏｏｔｈ通信を通じて送信する。
【００４７】
Ｔ４２０でスマートフォン２は撮影開始通知信号（ＲＥＬ  ＯＮ）を受信すると、表示部２０６に表示中のリモコン画面において、カウントダウン中を示す表示から撮影中を示す表示に切り替える。
【００４８】
ユーザがリモコン画面中のレリーズボタンのタップ（押下）を終了したことをＴ４２１で検知すると、Ｔ４２２でスマートフォン２は、デジタルカメラ１へＢｌｕｅｔｏｏｔｈ通信を通じて撮影停止要求信号（ＲＥＬ  ＯＦＦ）を送信する。なお、Ｔ４２１は必ずしもＴ４１９の後でなくてもよく、撮影開始通知信号の受信前であってよい。撮影開始通知信号の受信前にユーザがリモコン画面中のレリーズボタンのタップ（押下）を終了したことを検知した場合、スマートフォン２は撮影開始通知信号（ＲＥＬ  ＯＮ）を受信すると直ちに撮影停止要求信号（ＲＥＬ  ＯＦＦ）を送信する。
【００４９】
デジタルカメラ１はスマートフォン２からＢｌｕｅｔｏｏｔｈ通信を通じて撮影停止要求信号（ＲＥＬ  ＯＦＦ）を受信する。また、デジタルカメラ１は、Ｔ４２３で、撮影条件に従った撮影を完了する。
Ｔ４２４でデジタルカメラ１は、撮影を停止したことを示す撮影停止通知信号（ＲＥＬ  ＯＦＦ）を、Ｂｌｕｅｔｏｏｔｈ通信を通じてスマートフォン２へ送信する。
【００５０】
撮影停止通知信号（ＲＥＬ  ＯＦＦ）を受信したスマートフォン２は、Ｔ４２４で、表示部２０６のリモコン画面に撮影終了を示すメッセージや画像などを表示する。あるいは、リモコン画面の表示を初期状態に戻すなどして、ユーザに撮影終了を知らせるようにしてもよい。
【００５１】
次に、デジタルカメラ１がバルブ撮影モードおよびタイマー撮影モード以外の撮影モードである場合について、図４を用いて説明する。なお、Ｔ４０１〜Ｔ４０４までの説明は省略する。
デジタルカメラ１はＢｌｕｅｔｏｏｔｈ通信を通じてスマートフォン２から撮影開始要求信号（ＲＥＬ  ＯＮ）を受信すると、Ｔ４２６で撮影動作を開始する。撮影感度、絞り、シャッタースピード、被写体距離などの撮影条件に関しては、撮影開始要求信号の受信時に設定されていた値を用いることができる。
【００５２】
Ｔ４２７でデジタルカメラ１は、撮影を開始したことを示す撮影開始通知信号（ＲＥＬ  ＯＮ）を、スマートフォン２へＢｌｕｅｔｏｏｔｈ通信を通じて送信する。
この通知信号を受信したスマートフォン２は、Ｔ４２８で、表示部２０６のリモコン画面に撮影中を示すメッセージや画像などを表示する。あるいは、ユーザがタップしているＧＵＩパーツの表示形態（色や形など）を変更するなどして、ユーザに撮影開始を知らせるようにしてもよい。
【００５３】
ユーザがリモコン画面中のレリーズボタンのタップ（押下）を終了したことをＴ４２９で検知すると、Ｔ４３０でスマートフォン２は、デジタルカメラ１へＢｌｕｅｔｏｏｔｈ通信を通じて撮影停止要求信号（ＲＥＬ  ＯＦＦ）を送信する。なお、Ｔ４２９は必ずしもＴ４２７の後でなくてもよく、撮影開始通知信号の受信前であってよい。撮影開始通知信号の受信前にユーザがリモコン画面中のレリーズボタンのタップ（押下）を終了したことを検知した場合、スマートフォン２は撮影開始通知信号（ＲＥＬ  ＯＮ）を受信すると直ちに撮影停止要求信号（ＲＥＬ  ＯＦＦ）を送信する。
【００５４】
Ｔ４３１でデジタルカメラ１は、撮影条件に従った撮影を完了する。
Ｔ４３２でデジタルカメラ１は、撮影を完了したことを示す撮影停止通知信号（ＲＥＬ  ＯＦＦ）を、Ｂｌｕｅｔｏｏｔｈ通信を通じてスマートフォン２へ送信する。
【００５５】
撮影停止通知信号（ＲＥＬ  ＯＦＦ）を受信したスマートフォン２は、Ｔ４３３で、表示部２０６のリモコン画面に撮影終了を示すメッセージや画像などを表示する。あるいは、リモコン画面の表示を初期状態に戻すなどして、ユーザに撮影終了を知らせるようにしてもよい。
【００５６】
このように、本実施形態におけるスマートフォン２は、デジタルカメラ１の撮影モードに関わらず、レリーズボタンの遠隔操作指示が検出されると撮影開始要求信号（ＲＥＬ  ＯＮ）を送信する。そして、スマートフォン２は、デジタルカメラ１から送信される通知信号の内容（ＢＵＬＢ  ＯＮ、ＣＯＵＮＴＤＯＷＮ、ＲＥＬ  ＯＮ）に応じて、以降の動作を切り替える。従って、撮影開始要求前にデジタルカメラが受け付けるコマンドを確認するといった通信が不要である。そのため、リモコン機能を開始すると直ちに遠隔操作が可能になるほか、遠隔操作が可能になるまでの通信手順がデジタルカメラ１の撮影モードに依存しないため、スマートフォン２における実装が共通化できる。
【００５７】
＜スマートフォン２の動作＞
図３および図４を用いて説明したスマートフォン２の動作について、図５（ａ）のフローチャートを用いてさらに説明する。図５（ａ）のフローチャートに示した動作は、スマートフォン２とデジタルカメラ１とのＢｌuｅｔｏｏｔｈ接続が確立され、スマートフォン２でリモコン機能を開始したＴ４０２以降の動作に関する。
【００５８】
このとき、スマートフォン２の表示部２０６には、カメラ制御アプリケーションが提供するリモコン画面が表示されている。図６（ａ）に、リモコン画面の一例を示す。リモコン画面にはＧＵＩパーツとして表現されたレリーズボタン６０１が含まれる。なお、ここではデジタルカメラ１の操作部１０５に含まれるレリーズボタンの全押し操作に相当する遠隔操作が可能なリモコン画面の例を示した。しかし、リモコン画面には、操作部１０５に含まれる他の１つ以上のボタンやキーの操作に対応する遠隔操作を実現する１つ以上のＧＵＩパーツが含まれてもよい。
【００５９】
Ｓ５０１で制御部２０１は、表示部２０６に表示されているリモコン画面のレリーズボタン６０１が押下（タップ）操作されたか否か判定し、操作されたと判定されればＳ５０２へ処理を進め、操作されたと判定されなければＳ５０１を継続的に実施する。
【００６０】
Ｓ５０２で制御部２０１は、Ｂｌｕｅｔｏｏｔｈ部２１５を通じて、デジタルカメラ１へ撮影開始要求信号（ＲＥＬ  ＯＮ）を送信する。
【００６１】
Ｓ５０３で制御部２０１は、デジタルカメラ１からＢｌｕｅｔｏｏｔｈ部２１５を通じて撮影開始通知信号（ＢＵＬＢ  ＯＮ）を受信したか否かを判定し、受信したと判定されればＳ５０７へ、受信したと判断されなければＳ５０４へ、処理を進める。
【００６２】
Ｓ５０４で制御部２０１は、デジタルカメラ１からＢｌｕｅｔｏｏｔｈ部２１５を通じて撮影停止通知信号（ＲＥＬ  ＯＦＦ）を受信したか否かを判定し、受信したと判定されればＳ５０７へ、受信したと判定されなければＳ５０５へ、処理を進める。
【００６３】
Ｓ５０５で制御部２０１は、デジタルカメラ１からＢｌｕｅｔｏｏｔｈ部２１５を通じてカウントダウン開始通知信号（ＣＯＵＮＴＤＯＷＮ）を受信したか否かを判定する。制御部２０１は、受信したと判定されればＳ５０８へ、受信したと判定されなければＳ５０６へ、処理を進める。
【００６４】
Ｓ５０６で制御部２０１は、Ｂｌｕｅｔｏｏｔｈ部２１５を通じてデジタルカメラ１から撮影開始通知信号（ＲＥＬ  ＯＮ）を受信したか否かを判定し、受信したと判定されればＳ５０８へ処理を進め、受信したと判定されなければＳ５０３へ処理を戻す。
【００６５】
Ｓ５０７で制御部２０１は、Ｓ５０３またはＳ５０４で受信した通知信号に基づいて、表示部２０６に表示中のリモコン画面を、デジタルカメラ１の動作状態を反映するように更新し、処理をＳ５０１に戻す。
【００６６】
図６（ｂ）は、Ｓ５０３でバルブ撮影開始通知信号（ＢＵＬＢ  ＯＮ）を受信したと判定された場合にＳ５０７で更新されたリモコン画面の例を示す。図６（ｂ）の例では、バルブ撮影中であることを示すメッセージ６０２が追加表示されるとともに、レリーズボタン６０３が操作可能な状態かつ、次の操作でバルブ撮影が終了することを示す形態に変更されている。なお、図６（ｂ）はバルブ撮影開始通知信号（ＢＵＬＢ  ＯＮ）を受信したと判定された場合のリモコン画面の更新の一例であり、バルブ撮影中であることと、レリーズボタンの次の操作でバルブ撮影が終了することを報知できれば更新方法に制限は無い。例えば、レリーズボタンの形態は初期状態（図６（ａ））と同様とし、レリーズボタンの次の操作でバルブ撮影が終了することを示すテキストメッセージを追加してもよい。
【００６７】
なお、Ｓ５０４で撮影停止通知信号（ＲＥＬ  ＯＦＦ）を受信したと判定された場合、制御部２０１はＳ５０７でリモコン画面を更新して初期画面（図６（ａ））に戻す。
【００６８】
Ｓ５０８で制御部２０１は、Ｓ５０５またはＳ５０６で受信した通知信号に基づいて、表示部２０６に表示中のリモコン画面を、デジタルカメラ１の動作状態を反映するように更新し、処理をＳ５０３に戻す。
【００６９】
図６（ｃ）は、Ｓ５０５でカウントダウン開始通知信号（ＣＯＵＮＴＤＯＷＮ）を受信したと判定された場合にＳ５０８で更新されたリモコン画面の例を示す。図６（ｃ）の例では、タイマー撮影中（計時処理中）であることを示すメッセージ６０５が追加表示される。また、レリーズボタン６０４の表示が、操作不能であることを示す形態（ここではグレイアウト）に変更されている。なお、図６（ｃ）はカウントダウン開始通知信号（ＣＯＵＮＴＤＯＷＮ）を受信したと判定された場合のリモコン画面の更新の一例であり、タイマー撮影中であることと、レリーズボタンの操作が不能であることを報知できれば更新方法に制限は無い。例えば、レリーズボタンの操作が不能であることを示すテキストメッセージを追加してもよい。
【００７０】
図６（ｄ）は、Ｓ５０６で撮影開始通知信号（ＲＥＬ  ＯＮ）を受信したと判定された場合にＳ５０８で更新されたリモコン画面の例を示す。図６（ｄ）の例では、撮影中であることを示すメッセージ６０６が追加表示されるとともに、レリーズボタン６０４の表示が、操作不能であることを示す形態（ここではグレイアウト）に変更されている。なお、図６（ｄ）は撮影開始通知信号（ＲＥＬ  ＯＮ）を受信したと判定された場合のリモコン画面の更新の一例であり、撮影中であることと、レリーズボタンの操作が不能であることを報知できれば更新方法に制限は無い。例えば、レリーズボタンの操作が不能であることを示すテキストメッセージを追加してもよい。
【００７１】
また、制御部２０１は、Ｓ５０２で撮影開始要求信号（ＲＥＬ  ＯＮ）を送信した後、上述した処理とは非同期に、Ｓ５０９およびＳ５１０の処理を繰り返し実行する。
Ｓ５０９で制御部２０１は、表示部２０６に表示されているリモコン画面のレリーズボタン６０１の押下（タップ）操作が解除されたか否か判定し、解除されたと判定されればＳ５１０へ処理を進め、解除されたと判定されなければＳ５０９を継続的に実施する。
【００７２】
Ｓ５１０で制御部２０１は、Ｂｌｕｅｔｏｏｔｈ部２１５を通じて、でデジタルカメラ１へ撮影停止要求信号（ＲＥＬ  ＯＦＦ）を送信する。
【００７３】
このように、デジタルカメラ１の撮影モードに関わらず、スマートフォン２（カメラ制御アプリケーション）からは、まず撮影開始要求信号を送信し、その後、デジタルカメラ１から通知される動作状態に応じた動作を実行することができる。また、デジタルカメラ１の撮影モードにかかわらず、撮影開始要求信号と撮影停止要求信号という共通した遠隔操作指示を送信すればよいため、スマートフォン２（カメラ制御アプリケーション）の実装も容易である。
【００７４】
＜デジタルカメラ１の動作＞
図３および図４を用いて説明したデジタルカメラ１の動作について、図５（ｂ）のフローチャートを用いてさらに説明する。図５（ｂ）のフローチャートに示した動作は、デジタルカメラ１とスマートフォン２とのＢｌuｅｔｏｏｔｈ接続が確立されたＴ４０１以降の動作に関する。
【００７５】
Ｓ５５１で制御部１０１は、スマートフォン２から撮影開始要求信号（ＲＥＬ  ＯＮ）をＢｌｕｅｔｏｏｔｈ部１１２を通じて受信したか否かを判定し、受信したと判定されればＳ５５２へ処理を進め、受信したと判定されなければＳ５５１を継続的に実施する。
【００７６】
Ｓ５５２で制御部１０１は、デジタルカメラ１がバルブ撮影モードであるか否かを判定し、バルブ撮影モードであると判定されればＳ５５３へ、バルブ撮影モードであると判定されなければＳ５５８へ処理を進める。
【００７７】
Ｓ５５３で制御部１０１は、デジタルカメラ１がバルブ撮影中であるか否かを判定し、バルブ撮影中であると判定されればＳ５５６へ、バルブ撮影中であると判定されなければＳ５５４へ、処理を進める。
【００７８】
Ｓ５５４で制御部１０１はバルブ撮影動作を開始する。
Ｓ５５５で制御部１０１は、Ｂｌｕｅｔｏｏｔｈ部１１２を通じて、スマートフォン２へバルブ撮影開始通知信号（ＢＵＬＢ  ＯＮ）を送信し、処理をＳ５５１に戻す。
【００７９】
Ｓ５５６で制御部１０１は、撮影開始要求信号（ＲＥＬ  ＯＮ）を撮影停止要求信号と解釈し、バルブ撮影を停止し、処理をＳ５５７に進める。
Ｓ５５７で制御部１０１は、Ｂｌｕｅｔｏｏｔｈ部１１２を通じて、スマートフォン２へ撮影停止通知信号（ＲＥＬ  ＯＦＦ）を送信し、処理を終了する。
【００８０】
Ｓ５５８で制御部１０１は、デジタルカメラ１がタイマー撮影モードであるか否かを判定し、タイマー撮影モードであると判定されればＳ５５９へ、タイマー撮影モードであると判定されなければＳ５６３へ、処理を進める。
【００８１】
Ｓ５５９で制御部１０１は、カウントダウン（計時処理）を開始する。
Ｓ５６０で制御部１０１は、Ｂｌｕｅｔｏｏｔｈ部１１２を通じて、スマートフォン２へカウントダウン開始通知信号（ＣＯＵＮＴＤＯＷＮ）を送信する。
Ｓ５６１で制御部１０１は、カウントダウンを完了（所定時間経過）したか否かを判定し、完了したと判定されればＳ５６２へ処理を進め、完了したと判定されなければＳ５６１を継続的に実施する。
【００８２】
Ｓ５６２で制御部１０１は、撮影動作を開始する。この撮影動作は、撮影で得られた画像データの記録処理を含む。
Ｓ５６３で制御部１０１は、Ｂｌｕｅｔｏｏｔｈ部１１２を通じて、スマートフォン２へ撮影開始通知信号（ＲＥＬ  ＯＮ）を送信する。
Ｓ５６４で制御部１０１は、Ｓ５６２で開始した撮影動作が終了したか否かを判定し、終了したと判定されればＳ５６５へ処理を進め、終了したと判定されなければ撮影動作とともにＳ５６４を継続的に実施する。
【００８３】
Ｓ５６５で制御部１０１は、スマートフォン２からＢｌｕｅｔｏｏｔｈ部１１２を通じて撮影停止要求信号（ＲＥＬ  ＯＦＦ）を受信したか否か判定し、受信したと判定されればＳ５５７へ処理を進め、受信していると判定されない場合は処理をＳ５５８に戻す。
【００８４】
このようにデジタルカメラ１は、撮影モードにかかわらず、同一の遠隔操作指示（撮影開始要求信号）を受け付け、撮影モードに応じた動作を実行するとともに、動作状態をスマートフォン２に通知する。これにより、スマートフォン２が最初に遠隔操作指示を行う際に、デジタルカメラ１の撮影モードを意識する必要が無い。また、スマートフォン２では遠隔操作指示を送信した後、デジタルカメラ１の動作状態が把握できるので、その後はデジタルカメラ１の動作状態に応じて適切な処理を実行することができる。
【００８５】
以上説明したように、本実施形態に係る撮像装置は、外部機器と接続が確立すると直ちに遠隔操作指示を受け付け可能な状態となり、遠隔操作指示を受信すると、動作状態（ここでは撮影モード）に応じた通知を外部機器に送信するようにした。そのため、外部機器から遠隔制御可能になるまでの時間が短縮でき、かつ、撮像装置の動作状態を意識することなく単一の遠隔操作指示を送信し、遠隔操作指示に対して通知される撮像装置の動作状態に応じて以後の処理を変更することができる。従って、外部機器における遠隔制御用のアプリケーションの実装が容易になる。
【００８６】
（その他の実施形態）
上述の実施形態では撮像装置と撮像装置を遠隔操作可能な電子機器とがＢｌｕｅｔｏｏｔｈ規格に準拠した近距離無線通信を通じて要求信号や通知信号の送受信を行う構成に関して説明した。しかし、Ｂｌｕｅｔｏｏｔｈに限らず、他の無線通信規格に準拠した無線通信を用いる構成であってもよい。また、無線通信に限らず、有線通信を用いる構成であってもよい。
【００８７】
また、本実施形態では、デジタルカメラの撮影状態をスマートフォンに通知し、撮影状態をスマートフォンの表示に反映させる構成について説明した。しかし、デジタルカメラからスマートフォンに通知する情報は撮影状態に限定されず、デジタルカメラの任意の情報についてスマートフォンへ通知し、スマートフォンの表示に反映させることができる
【００８８】
また、本実施形態では外部機器が撮像装置を遠隔撮影操作するシステムを例に説明したが、必ずしもこの例には限定されず、他の通信システムにおける通信に適用することが可能である。例えば、単純なコンテンツデータの送受信指示などに本件を適用することも可能である。
【００８９】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００９０】
１…デジタルカメラ、２…スマートフォン、１０１、２０１…制御部、１０５、２０５…操作部、１０６、２０６…表示部、１１１、２１１…無線ＬＡＮ部、１１２、２１５…Ｂｌｕｅｔｏｏｔｈ部
【図１】
2018037808.tif 000003
【図２】
2018037808.tif 000004
【図３】
2018037808.tif 000005
【図４】
2018037808.tif 000006
【図５】
2018037808.tif 000007
【図６】
2018037808.tif 000008